(57)【要約】      （修正有）【課題】ドライブシャーシを製造するのに必要な金型の数を減らし、簡単且つ短時間にドライブシャーシを製造することができる光ディスクローディング装置及び光ディスク装置を提供する。【解決手段】ケース１と、光ディスクを載置するトレイ２と、ケース１に回動可能に支持され、光ヘッド３及びディスク回動装置８を保持するドライブシャーシ４と、ケース１に摺動可能に支持され、ドライブシャーシ４と係合する昇降カム５とをそなえ、ドライブシャーシ４は金属板をプレス加工にて切り曲げて形成するものであり、トレイ１との距離を変更するクランク部４６を備えており、昇降カム５は、クランク部４６をはさむ昇降ボス５３を備える。【選択図】図２
0003110933.tif 000002
【実用新案登録請求の範囲】
【請求項１】
光ディスクにレーザ光を照射することで、データの記録、読出を行う光ディスク装置で
あって、
前記光ディスクを挿入する光ディスクローディング装置と、信号を処理するための信号
処理装置と、前記信号処理装置にて復号化された信号を外部の映像表示部に接続するため
の外部接続部と、制御部とを備えており、
前記光ディスクローディング装置は、ケースと、光ディスクを載置し前記ケースに摺動
可能に支持されるトレイと、前記ケースに回動可能に支持され、光ヘッド及びディスク回
動装置を保持するドライブシャーシと、前記ケースに摺動可能に支持されるとともに前記
トレイと係合する昇降カムと、前記ケースに支持され、前記ディスク回動装置と前記光デ
ィスクを保持するクランプと、前記ケースに支持される駆動モータと、前記駆動モータの
回動を前記トレイ及び前記昇降カムに伝達するための歯車機構とを有しており、
前記ドライブシャーシは金属板をプレス加工にて切り曲げて形成するものであり、前記
ドライブシャーシ自体を前記ケースに回動可能に支持する支持部と、前記ディスク回動装
置を回動可能に支持するためのディスク回動装置支持部と、前記光ヘッドの摺動を邪魔し
ないための貫通孔と、前記歯車を回動可能に支持する歯車取付部と、前記ディスク回動装
置支持部の端部に前記トレイと前記ディスク回動装置の距離を変更するクランク部を備え
ており、
前記昇降カムは前記ケースに摺動支持される支持部と、前記ドライブシャーシと係合す
る係合部と、前記支持部の端部に形成され歯車と歯合するラックと、前記係合部に前記ク
ランク部の前記トレイと対向する面接触する第１ボス及び反対側の面と接触する第２ボス
を有する昇降ボス部と、前記支持部の前記ケースに支持される面と反対側の面には前記ト
レイの背面に形成されたガイドと係合するための摺動ボスとを備えることを特徴とする光
ディスク装置。
【請求項２】
光ディスクにレーザ光を照射することで、データの記録、読出を行う光ディスク装置で
あって、
ケースと、光ディスクを載置し前記ケースに摺動可能に支持されるトレイと、前記ケー
スに回動可能に支持され、光ヘッド及びディスク回動装置を保持するドライブシャーシと
、前記ケースに摺動可能に支持されるとともに前記ドライブシャーシと係合する昇降カム
とをそなえた光ディスクローディング装置を有しており、
前記ドライブシャーシは金属板をプレス加工にて切り曲げて形成するものであり、前記
ドライブシャーシ自体を前記ケースに回動可能に支持する支持部と、前記ディスク回動装
置を回動可能に支持するためのディスク回動装置支持部と、前記ディスク回動装置支持部
の端部に前記トレイと前記ディスク回動装置の距離を変更するクランク部を備えており、
前記昇降カムは、前記ケースに摺動支持される支持部と、前記ドライブシャーシと係合
する係合部と、前記クランク部をはさむように配置される昇降ボス部とを備えることを特
徴とする光ディスク装置。
【請求項３】
ケースと、
光ディスクを載置し前記ケースに摺動可能に支持されるトレイと、
前記ケースに回動可能に支持され、光ヘッド及びディスク回動装置を保持す
るドライブシャーシと、
前記ケースに摺動可能に支持されるとともに前記トレイと係合する昇降カムと、
前記ケースに支持され、前記ディスク回動装置と前記光ディスクを保持するクランプと
、
前記ケースに支持される駆動モータと、
前記駆動モータの回動を前記トレイ、前記光ヘッド及び前記昇降カムに伝達するための
歯車機構とを有しており、
前記ドライブシャーシは金属板をプレス加工にて切り曲げて形成するものであり、前記
ドライブシャーシ自体を前記ケースに回動可能に支持する支持部と、前記ディスク回動装
置を回動可能に支持するためのディスク回動装置支持部と、前記光ヘッドの摺動を邪魔し
ないための貫通孔と、前記歯車を回動可能に支持する歯車取付部と、前記ディスク回動装
置支持部の端部に前記トレイと前記ディスク回動装置の距離を変更するクランク部を備え
ており、
前記昇降カムは２枚の板状部材を接続した断面Ｌ字状であり、前記ケースに摺動支持さ
れる支持部と、前記ドライブシャーシと係合する係合部と、前記支持部の端部に形成され
歯車と歯合するラックと、前記係合部には前記クランク部の前記トレイと対向する面接触
する第１ボス及び反対側の面と接触する第２ボスを有する昇降ボス部と、前記支持部の前
記ケースに支持される面と反対側の面には前記トレイの背面に形成されたガイドと係合す
るための摺動ボスとを備えることを特徴とする光ディスクローディング装置。
【請求項４】
ケースと、
光ディスクを載置し前記ケースに摺動可能に支持されるトレイと、
前記ケースに回動可能に支持され、光ヘッド及びディスク回動装置を保持するドライブ
シャーシと、
前記ケースに摺動可能に支持されるとともに前記ドライブシャーシと係合する昇降カム
とを備えており、
前記ドライブシャーシは金属板をプレス加工にて切り曲げて形成するものであり、前記
ドライブシャーシ自体を前記ケースに回動可能に支持する支持部と、前記ディスク回動装
置を回動可能に支持するためのディスク回動装置支持部と、前記ディスク回動装置支持部
の端部に前記トレイと前記ディスク回動装置の距離を変更するクランク部を備えており、
前記昇降カムは、前記ケースに摺動支持される支持部と、前記ドライブシャーシと係合
する係合部と、前記クランク部をはさむように配置される昇降ボス部とを備えることを特
徴とする光ディスクローディング装置。
【考案の詳細な説明】
【技術分野】
【０００１】
本考案は、光ディスクに記録された情報を読み出す又は光ディスクに情報を記録するた
めに光ディスクを光ディスク装置に挿入するための光ディスクのローディング機構に関す
るものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は光ディスクの記録面に対しレーザ光を照射し、反射してきた光を検
出する光ヘッドを備えている。
【０００３】
また、前記光ディスク装置の多くは、前記光ディスクをトレイに載置し、該トレイを摺
動させることで前記光ディスクを前記光ヘッドから出射されるレーザ光が照射される位置
まで挿入（ローディング）する光ディスクローディング装置を備えている。
【０００４】
図７に従来の光ディスクローディング装置の一例のトレイが排出された状態の平面図を
、図８に図７に示す光ディスクローディング装置のトレイが収納された状態の平面図を示
す。図７、図８に示すディスクローディング装置Ｂは、ケース９１と、ケース９１に摺動
可能に支持されるトレイ９２と、光ヘッド９３及び光ディスクＯｄを回動支持するディス
ク回動装置９８を支持し、光ディスクＯｄを支持できるように昇降するドライブシャーシ
９４と、ドライブシャーシ９４を昇降させる昇降カム９５と、駆動モータ９６と、駆動モ
ータ９６の動力を伝達する歯車機構９７と有している。
【０００５】
駆動モータ９６の回転を伝達するため歯車機構９７が配置される。歯車機構９７は歯車
９７０、９７１、９７２、９７３が互いに歯合するように配置されている。駆動モータ９
６の回転軸にはウォームギア９６１が取り付けられており、駆動モータ９６の回転はウォ
ームギア９６と歯合する歯車９７０を回動させる。トレイ９２の底面にはラック９２１が
形成されており、歯車９７３と歯合している。歯車９７３の回転をラック９２１で直線運
動に変換し、トレイ９２を摺動させる。トレイ９２の底面には昇降カム９５に形成されて
いる後述の摺動ボス９５３と係合するガイド９２２が形成されている。
【０００６】
光ヘッド９３はベース９３１と、ベース９３１に固定されるアクトベース９３２とを有
している。ベース９３１にはレーザ光を出射するレーザ光源（図示省略）と、レーザ光を
平行光にするコリメータレンズ（図示省略）を、アクトベース９３２には光ディスクの記
録面にレーザ光を集光する対物レンズ９３３とを備えている。ベース９３１はドライブシ
ャーシ９４に摺動可能に支持されており、光ディスクからデータを読み出すときにはベー
ス９３１が光ディスクの半径方向に摺動する。
【０００７】
ドライブシャーシ９４はケース９１に配置されるものであり、光ヘッド９３を摺動可能
に支持している。光ディスクの挿入側の端部には後述する昇降カム９５のカム孔９５１と
係合するためのピン９４１が一体に形成されている。また、ケース９１に形成された貫通
孔９１１と嵌合し、ドライブシャーシ９４が回動するときの中心となる回動支持部９４２
も備えている。ピン９４１と一定の間隔をあけて係合ピン９４３が備えられている。係合
ピン９４３はドライブシャーシ９４が最もトレイ９２に近づいたときに、昇降カム９５の
後述する切欠き９５４と係合するものである。切欠き９５４と係合ピン９４３が係合する
ことで、ドライブシャーシ９４を安定させることができる。
【０００８】
昇降カム９５はケース９１に摺動可能に支持されており、中央にカム孔９５１を有して
いる。カム孔９５１は両方の端部が異なる高さになっており、端部同士をつなぐ部分は斜
めに形成されている。昇降カム９５の端部にはラック９５２が形成されており、歯車９７
３と歯合している。歯車９７３の回転をラック９５２で直線運動に変換することで、昇降
カム９５を摺動させる。昇降カム９５はトレイ９２の底面に形成されたガイド９２２と係
合する摺動ボス９５３を備えている。また、ドライブシャーシ９４がトレイ９２に最も近
づいたときにドライブシャーシ９４に形成されている係合ピン９４３と係合する切欠き９
５４を有している。
【０００９】
図９（Ａ）〜（Ｃ）に図７、図８に示すディスクローディング装置の昇降カムの動作と
ドライブシャーシの動作手順の概略側面図を示す。図９（Ａ）〜図９（Ｃ）に示す光ディ
スクローディング装置Ｂは昇降カム９５側から見た側面図である。図９（Ａ）は光ディス
クローディング装置Ｂのトレイ９１がもっとも外に出ているとき（図７に示す状態）の側
面図である。図９（Ｂ）に示すようにトレイ９１が最も外に出ているとき、昇降カム９５
は図中もっとも右側に配置されている。このとき、ドライブシャーシ９４のピン９４１は
昇降カム９５のカム孔９５１の左端部９５１Ｌに位置している。ピン９４１が左端部９５
１Ｌに配置されているので、ドライブシャーシ９４は最下端（光ディスクから最も遠い場
所）に位置している。
【００１０】
トレイ９２に光ディスクＯｄを載置し、駆動モータ９６が駆動しディスクローディング
が開始すると、駆動モータ９６の回転がウォームギア９６１を介して歯車機構９７の各歯
車９７０、９７１、９７２、９７３それぞれに伝達されていく。このとき、昇降カム９５
のラック９５２は歯車９７３と歯合していない。このときトレイ９２のラック９２１が歯
車９７３と歯合しておりトレイ９２が摺動する。
【００１１】
トレイ９２が摺動すると昇降カム９５に形成された摺動ボス９５３がトレイ９２のガイ
ド９２２と相対的に摺動する。トレイ９２のガイド９２２はトレイ９２がケース９１の外
にあるときは、摺動方向と同じ方向に形成されているので、昇降カム９５の摺動ボス９５
３に力を加えることがなく、昇降カム９５は停止している。
【００１２】
トレイ９２がさらに摺動するとガイド９２２の昇降カム９５の摺動ボス９５３がガイド
９２２の斜めに形成された部分に到達し、摺動ボス９５３にトレイ９２の摺動方向と直行
する方向に力が加えられ、昇降カム９５がトレイ９２の摺動方向と直行する方向に摺動す
る。昇降カム９５が摺動すると、ドライブシャーシ９４のピン９４１は昇降カム９５のカ
ム孔９５１に沿って相対的に摺動する。
【００１３】
昇降カム９５の摺動ボス９５３がトレイ９２のガイド９２２の斜めに形成された部分の
終点まで到達すると、トレイ９２の底面に形成されたラック９２１と歯車９７３とが離れ
る。かわって、昇降カム９５に形成されたラック９５２と歯車９７３が歯合し、歯車９７
３の回転によって昇降カム９５が摺動する（図９（Ｂ）参照）。
【００１４】
ドライブシャーシ９４のピン９４１がカム孔９５１の傾斜部に到達すると、ピン９４１
はカム孔９５１より上方に付勢される。ピン９４１が付勢されることで、ドライブシャー
シ９４が上方、換言すれば、光ディスクが載置されている方向に押し上げられる。
【００１５】
図９（Ｃ）に示すように光ディスクＯｄがディスク回動装置９８にて支持されるときに
は、昇降カム９５はもっとも左側に配置される。このとき、ドライブシャーシ９４のピン
９４１は昇降カム９５のカム孔９５１の右端部９５１Ｒに移動している。ピン９４１が右
端部に配置されているので、ドライブシャーシ９４は最上端（光ディスクから最も近い場
所）に位置する。このとき、ドライブシャーシ９４に形成された係合ピン９４３が昇降カ
ム９５の切欠き９５４と係合するので、ドライブシャーシ９４は安定して支持される。
【００１６】
また、上記と反対の動作を行うことで、トレイ９２をケース９１から排出することがで
き、光ディスクＯｄをケース９１から取り出すことができる。ドライブシャーシ９４は樹
脂を金型に射出し成型する射出成型にて一体的に形成されるものである。
【００１７】
特開２００３−１２３３５９号公報に記載の発明は、１枚の板金で形成されたカム板を
有しており、前記カム板に形成された溝に第１シャーシ（本考案ではドライブシャーシ）
に設けられた突起部が挿入されているものを示している。
【特許文献１】特開２００３−１２３３５９号公報
【考案の開示】
【考案が解決しようとする課題】
【００１８】
上述したように、従来の光ディスクローディング装置Ｂに用いられているドライブシャ
ーシ９４は樹脂を金型に射出して成型する射出成型にて形成している。しかしながら、射
出成型でピン９４１及び係合ピン９４３、貫通孔、溝等を有する複雑な形状を作成する場
合、製造に必要な金型の数が増え、製造が複雑になる。ピン９４１及び係合ピン９４３を
別途製造し追加するものも考えられるが、ピン９４１及び係合ピン９４３の製造にも金型
が必要であり、製造されたピン９４１及び係合ピン９４３をドライブシャーシ９４に取り
付ける組みつけの工程も増える。
【００１９】
また、ドライブシャーシ９４を樹脂の射出成型にて製造する場合、製造に用いられる金
型の寿命が短く、多くの金型を必要とする。金型を製造するには多くの時間、手間、エネ
ルギが必要である。また、射出成型で製造する場合、樹脂が硬化する時間が必要である。
これらのことより、ドライブシャーシ９４を樹脂の射出成型にて製造するのは効率が悪く
、製造に必要なエネルギが多くなり、コストアップにつながる。
【００２０】
そこで本考案は、ドライブシャーシの構造を簡単にし、部品点数を減らすことができる
ディスクローディング装置を提供することを目的とする。
【００２１】
また本考案は、ドライブシャーシを製造するのに必要な金型の数を減らし、簡単且つ短
時間にドライブシャーシを製造することができるディスクローディング装置を提供するこ
とを目的とする。
【００２２】
また本考案は、ドライブシャーシを製造するのに必要な金型を長寿命化することができ
、それだけ、材料及びエネルギの浪費を低減することができるディスクローディング装置
を提供することを目的とする。
【課題を解決するための手段】
【００２３】
上記目的を達成するために本考案は、光ディスクにレーザ光を照射することで、データ
の記録、読出を行う光ディスク装置であって、前記光ディスクを挿入する光ディスクロー
ディング装置と、信号を処理するための信号処理装置と、前記信号処理装置にて復号化さ
れた信号を外部の映像表示部に接続するための外部接続部と、制御部とを備えており、前
記光ディスクローディング装置は、ケースと、光ディスクを載置し前記ケースに摺動可能
に支持されるトレイと、前記ケースに回動可能に支持され、光ヘッド及びディスク回動装
置を保持するドライブシャーシと、前記ケースに摺動可能に支持されるとともに前記トレ
イと係合する昇降カムと、前記ケースに支持され、前記ディスク回動装置と前記光ディス
クを保持するクランプと、前記ケースに支持される駆動モータと、前記駆動モータの回動
を前記トレイ及び前記昇降カムに伝達するための歯車とを有しており、前記ドライブシャ
ーシは金属板をプレス加工にて切り曲げて形成するものであり、前記ドライブシャーシ自
体を前記ケースに回動可能に支持する支持部と、前記ディスク回動装置を回動可能に支持
するためのディスク回動装置支持部と、前記光ヘッドの摺動を邪魔しないための貫通孔と
、前記歯車を回動可能に支持する歯車取付部と、前記ディスク回動装置支持部の端部に前
記トレイと前記ディスク回動装置の距離を変更するクランク部を備えており、前記昇降カ
ムは前記ケースに摺動支持される支持部と、前記ドライブシャーシと係合する係合部と、
前記支持部の端部に形成され歯車と歯合するラックと、前記係合部に前記クランク部の前
記トレイと対向する面接触する第１ボス及び反対側の面と接触する第２ボスを有する昇降
ボス部と、前記支持部の前記ケースに支持される面と反対側の面には前記トレイの背面に
形成されたガイドと係合するための摺動ボスとを備えることを特徴とする光ディスク装置
を提供する。
【００２４】
この構成によると、前記ドライブシャーシを金属板を切り曲げて形成するものであり、
従来の樹脂の射出成形に比べて、樹脂が乾燥する時間が不要で有り、それだけ製造時間を
短縮することができる。また、金属板のプレス加工の場合、樹脂の射出成形に比べて金型
の形状が単純であり、前記金型の寿命も長い。
【００２５】
このことにより、光ディスク装置を製造するときに必要なエネルギ、材料を低減するこ
とができ、省エネルギ化、低コスト化を図ることができる光ディスク装置を提供すること
ができる。
【００２６】
上記目的を達成するために本考案は、光ディスクにレーザ光を照射することで、データ
の記録、読出を行う光ディスク装置であって、ケースと、光ディスクを載置し前記ケース
に摺動可能に支持されるトレイと、前記ケースに回動可能に支持され、光ヘッド及びディ
スク回動装置を保持するドライブシャーシと、前記ケースに摺動可能に支持されるととも
に前記ドライブシャーシと係合する昇降カムとをそなえた光ディスクローディング装置を
有しており、前記ドライブシャーシは金属板をプレス加工にて切り曲げて形成するもので
あり、前記ドライブシャーシ自体を前記ケースに回動可能に支持する支持部と、前記ディ
スク回動装置を回動可能に支持するためのディスク回動装置支持部と、前記ディスク回動
装置支持部の端部に前記トレイと前記ディスク回動装置の距離を変更するクランク部を備
えており、前記昇降カムは、前記ケースに摺動支持される支持部と、前記ドライブシャー
シと係合する係合部と、前記クランク部をはさむように配置される昇降ボス部とを備える
ことを特徴とする光ディスク装置を提供する。
【００２７】
この構成によると、前記ドライブシャーシを金属板を切り曲げて形成するものであり、
従来の樹脂の射出成形に比べて、樹脂が乾燥する時間が不要で有り、それだけ製造時間を
短縮することができる。また、金属板のプレス加工の場合、樹脂の射出成形に比べて金型
の形状が単純であり、前記金型の寿命も長い。
【００２８】
このことにより、光ディスク装置を製造するときに必要なエネルギ、材料を低減するこ
とができ、省エネルギ化、低コスト化を図ることができる光ディスク装置を提供すること
ができる。
【００２９】
上記目的を達成するために本考案は、ケースと、光ディスクを載置し前記ケースに摺動
可能に支持されるトレイと、前記ケースに回動可能に支持され、光ヘッド及びディスク回
動装置を保持するドライブシャーシと、前記ケースに摺動可能に支持されるとともに前記
トレイと係合する昇降カムと、前記ケースに支持され、前記ディスク回動装置と前記光デ
ィスクを保持するクランプと、前記ケースに支持される駆動モータと、前記駆動モータの
回動を前記トレイ、前記光ヘッド及び前記昇降カムに伝達するための歯車機構とを有して
おり、前記ドライブシャーシは金属板をプレス加工にて切り曲げて形成するものであり、
前記ドライブシャーシ自体を前記ケースに回動可能に支持する支持部と、前記ディスク回
動装置を回動可能に支持するためのディスク回動装置支持部と、前記光ヘッドの摺動を邪
魔しないための貫通孔と、前記歯車を回動可能に支持する歯車取付部と、前記ディスク回
動装置支持部の端部に前記トレイと前記ディスク回動装置の距離を変更するクランク部を
備えており、前記昇降カムは２枚の板状部材を接続した断面Ｌ字状であり、前記ケースに
摺動支持される支持部と、前記ドライブシャーシと係合する係合部と、前記支持部の端部
に形成され歯車と歯合するラックと、前記係合部には前記クランク部の前記トレイと対向
する面接触する第１ボス及び反対側の面と接触する第２ボスを有する昇降ボス部と、前記
支持部の前記ケースに支持される面と反対側の面には前記トレイの背面に形成されたガイ
ドと係合するための摺動ボスとを備えることを特徴とする光ディスクローディング装置を
提供する。
【００３０】
この構成によると、前記ドライブシャーシを金属板を切り曲げて形成するものであり、
従来の樹脂の射出成形に比べて、樹脂が乾燥する時間が不要で有り、それだけ製造時間を
短縮することができる。また、金属板のプレス加工の場合、樹脂の射出成形に比べて金型
の形状が単純であり、前記金型の寿命も長い。
【００３１】
このことにより、光ディスク装置を製造するときに必要なエネルギ、材料を低減するこ
とができ、省エネルギ化、低コスト化を図ることができる光ディスクローディング装置を
提供することができる。
【００３２】
上記目的を達成するために本考案は、ケースと、光ディスクを載置し前記ケースに摺動
可能に支持されるトレイと、前記ケースに回動可能に支持され、光ヘッド及びディスク回
動装置を保持するドライブシャーシと、前記ケースに摺動可能に支持されるとともに前記
ドライブシャーシと係合する昇降カムとを備えており、前記ドライブシャーシは金属板を
プレス加工にて切り曲げて形成するものであり、前記ドライブシャーシ自体を前記ケース
に回動可能に支持する支持部と、前記ディスク回動装置を回動可能に支持するためのディ
スク回動装置支持部と、前記ディスク回動装置支持部の端部に前記トレイと前記ディスク
回動装置の距離を変更するクランク部を備えており、前記昇降カムは、前記ケースに摺動
支持される支持部と、前記ドライブシャーシと係合する係合部と、前記クランク部をはさ
むように配置される昇降ボス部とを備えることを特徴とする光ディスクローディング装置
を提供する。
【００３３】
この構成によると、前記ドライブシャーシを金属板を切り曲げて形成するものであり、
従来の樹脂の射出成形に比べて、樹脂が乾燥する時間が不要で有り、それだけ製造時間を
短縮することができる。また、金属板のプレス加工の場合、樹脂の射出成形に比べて金型
の形状が単純であり、前記金型の寿命も長い。
【００３４】
このことにより、光ディスク装置を製造するときに必要なエネルギ、材料を低減するこ
とができ、省エネルギ化、低コスト化を図ることができる光ディスクローディング装置を
提供することができる。
【考案の効果】
【００３５】
本考案によると、ドライブシャーシを製造するのに必要な金型の数を減らし、簡単且つ
短時間にドライブシャーシを製造することができる光ディスクローディング装置及び光デ
ィスク装置を提供することができる。
【００３６】
また本考案によると、ドライブシャーシを製造するのに必要な金型を長寿命化すること
ができ、それだけ、材料及びエネルギの浪費を低減することができる光ディスクローディ
ング装置及び光ディスク装置を提供することができる。
【考案を実施するための最良の形態】
【００３７】
以下に本考案の実施形態を図面を参照して説明する。図１に本考案にかかる光ディスク
装置の概略配置図を示す。図１に示す光ディスク装置ＰＬは前記光ディスクを挿入する光
ディスクローディング装置Ａと、信号を処理するための信号処理装置Ｄｃと、信号処理装
置Ｄｃにて復号化された信号を外部の映像表示部Ｍｎに接続するための外部接続部Ｏｃと
、制御部Ｃｏｎｔとを備えている。図１に示す光ディスク装置ＰＬはそれには限定されな
いが、ここでは、ＤＶＤプレーヤである。
【００３８】
図２に本考案にかかる光ディスクローディング装置の一例のトレイが排出された状態の
平面図を、図３に図２に示す光ディスクローディング装置のトレイが収納された状態の平
面図を示す。図２及び図３に示す光ディスクローディング装置Ａは、ケース１と、ケース
１に摺動可能に支持されたトレイ２と、光ディスクにレーザ光を照射し情報の読み取り及
び（又は）記録を行う光ヘッド３と、前記光ヘッド３及び光ディスクを回動可能に保持す
るディスク回動装置８が支持されるドライブシャーシ４と、ケース１に摺動可能に支持さ
れドライブシャーシ４と接続する昇降カム５と、トレイ２及び昇降カム５を駆動するため
の駆動モータ６と、駆動モータ６の動力をトレイ２及び昇降カム５に伝達するための歯車
機構７とを有している。
【００３９】
ケース１はドライブシャーシ４が配置される部分のトレイ２を挟んだ反対側に、ディス
ク回動装置８と光ディスクを挟持するためのクランプが配置されるクランプ支持部１１を
有している。
【００４０】
駆動モータ６の回転軸にはウォームギア６１が取り付けられており、歯車７１と歯合し
ており、駆動モータ６の動力を歯車機構７に伝達する。歯車機構７は歯車７１、７２、７
３を有しており、歯車７１、７２、７３は互いに歯合するようにケース１に回動可能に支
持されている。駆動モータ６が回動すると、ウォームギア６１を介して動力が伝達され、
歯車７１、７２、７３はそれぞれ所定の方向に回動する。
【００４１】
トレイ２の背面には歯車７３と歯合するラック２１が形成されている。また、トレイ２
は光ディスクを配置するための円形の段差２２が形成されており、中央部には光ヘッド３
からのレーザ光を透過させ、ディスク回動装置８がクランプに近接するための貫通孔２３
が形成されている。トレイ２の背面には後述の昇降カム５の支持部５１に形成された摺動
ボス５４と相対的に摺動可能なガイド２４が形成されている。ガイド２４はトレイ２の端
部よりトレイ２の摺動方向に延びる直線部２４１と、所定の位置で斜めに屈曲する斜行部
２４２と、さらに摺動方向と直交するように屈曲する直交部２４３を有している。
【００４２】
光ヘッド３はベース３１と、ベース３１に固定されるアクトベース３２とを有している
。ベース３１にはレーザ光を出射するレーザ光源（図示省略）と、レーザ光を平行光にす
るコリメータレンズ（図示省略）を備えている。アクトベース３２には光ディスクの記録
面にレーザ光を集光する対物レンズ３３が取り付けられている。ベース３１はドライブシ
ャーシ４に摺動可能に支持されており、ベース３１は光ディスクからのデータの読出しを
行うときは光ディスクの半径方向に摺動する。
【００４３】
図４（Ａ）に本考案にかかる光ディスクローディング装置に用いられるドライブシャー
シの平面図を、図４（Ｂ）に図４（Ａ）に示すドライブシャーシの正面図を示す。図４（
Ａ）、図４（Ｂ）に示すドライブシャーシ４は金属板を切断し、折り曲げることで形成さ
れるものである。ドライブシャーシ４はドライブシャーシ４自体を回動可能に支持する支
持部４１と、ディスク回動装置８を回動可能に支持するためのディスク回動装置支持部４
２と、光ヘッド３の摺動を邪魔しないための貫通孔４３と、歯車７１、歯車７２を回動可
能に支持する歯車取付部４４、４５と、クランク部４６と、光ヘッド支持部４７とを有し
ている。クランク部４６は上端部４６１と、下端部４６２と、上端部４６１と下端部４６
２とを連結する傾斜した傾斜部４６３を有している。
【００４４】
ディスク回動装置８はクランプと圧接することで光ディスクを挟持するターンテーブル
とターンテーブルを回動するための軸動モータ（不図示）とを備えている。
【００４５】
図５（Ａ）に本発明にかかる光ディスクローディング装置に用いられる昇降カムの平面
図を、図５（Ｂ）に図５（Ａ）に示す昇降カムの側面図を示す。図５（Ａ）、図５（Ｂ）
に示すように昇降カム５はケース１に摺動支持される支持部５１と、ドライブシャーシ４
と係合する係合部５２とを有している。
【００４６】
図５（Ａ）、図５（Ｂ）に示すように係合部５２のドライブシャーシ４のクランク部４
６と係合する部分には、クランク部４６を挟むように配置された昇降ボス５３が形成され
ている。昇降ボス５３は第１ボス５３１と第２ボス５３２を有しており、第１ボス５３１
はクランク部４６のトレイ２と対抗する面に接触し、第２ボス５３２は反対側の面と接触
する。第１ボス５３１及び第２ボス５３２はずれて配置されている。第１ボス５３１及び
第２ボス５３２がずれて配置されていることで、昇降ボス５３がクランク部４６の傾斜部
４６３に達したときも、円滑に動作することができる。第１ボス５３１及び第２ボス５３
２はそれには限定されないがここでは断面長円形である。
【００４７】
図５（Ａ）に示すように支持部５１の端部５１０は歯車７３と歯合するラック５１１が
形成されている。また、ケース１に支持される面と反対側の面にはトレイ２の背面に形成
されたガイド２４と係合するための摺動ボス５４が形成されている。
【００４８】
図６（Ａ）〜図６（Ｃ）に図２及び図３に示す光ディスクローディング装置に用いられ
るドライブシャーシの動作を示す概略側面図である。図５（Ａ）に示す光ディスクローデ
ィング装置Ａはトレイ２がケース１から排出された状態（図２に示す状態）のときの図で
あり、この状態のときに、トレイ２に光ディスクＯｄを載置することが可能である。
【００４９】
昇降カム５の昇降ボス５３はクランク部４６の上端部４６１を挟む位置にある。つまり
、ドライブシャーシ４は最も低い位置（換言すると、トレイ２から最も離れた位置）に配
置されている。このとき、昇降カム５は歯車７３から最も離れた状態であり、昇降カム５
の端部の支持部５１の端部５１０に形成されたラック５１１は歯車７３と歯合していない
。
【００５０】
この状態のときに駆動モータ６が駆動すると、歯車機構７が回動し、歯車７３と歯合す
るトレイ２の背面に形成されたラック２１に動力が伝達される。ラック２１に動力が伝達
されると、トレイ２がケース１内部に向かって摺動する。
【００５１】
昇降カム５の摺動ボス５４はトレイ２に形成されたガイド２４と係合しており、摺動ボ
ス５４はトレイ２のガイド２４に沿ってガイド２４に対して相対的に移動する。このとき
、摺動ボス５４と係合するのはガイド２４の直線部２４１であり、トレイ２の摺動方向に
直線状に形成されているので、摺動ボス５４はガイド２４の直線部２４１から力を受けず
、最も低い位置に停止している。
【００５２】
図６（Ｂ）はトレイがケースに完全に収納されたときの、ドライブシャーシと昇降カム
の図である。図２に示すようにトレイ２が所定の位置に達したとき、摺動ボス５４がガイ
ド２４の斜行部２４２に達し、摺動ボス５４がトレイ２の摺動方向と直交する方向に押さ
れる。摺動ボス５４が押されることで、昇降カム５がトレイ２の摺動方向と直交する方向
に移動する。このとき、昇降カム５の昇降ボス５３はドライブシャーシ４のクランク部４
６の上端部４６１を第１ボス５３１及び第２ボス５３２で挟んでおり、上端部４６１に沿
って摺動するので、ドライブシャーシ４は最も低い位置にある。
【００５３】
トレイ２がケース１に完全に収納されると、昇降カム５の摺動ボス５４がトレイ２のガ
イド２４の斜行部２４２と直行部２４３の屈曲する場所まで進む。このとき、歯車７３と
昇降カム５の支持部５１に形成されたラック５１１とが歯合し、歯車７３からラック５１
１に動力が伝達されて昇降カム５が摺動する。このとき、トレイ２のラック２１は歯車７
３からはずれ、昇降カム５のラック５１１が歯車７３と歯合しており、トレイ２は停止状
態、昇降カム５はケース１に沿って摺動する。
【００５４】
昇降カム５が摺動すると、昇降ボス５３の第２ボス５３２がクランク部４６の傾斜部４
６３に接触して移動する。このとき、第２ボス５３２がクランク部４６の傾斜部４６３を
トレイ２に近づく方向に押し上げる。ドライブシャーシ４は支持部４１を中心に回動し、
ドライブシャーシ４のディスク回動装置支持部４２に回動可能に支持されるディスク回動
装置８はケース１のクランプ支持部１１（図２、３参照）に配置されるクランプ８１に接
近する。
【００５５】
図６（Ｃ）は光ディスクがディスク回動装置に挟持されている状態を示す図である。さ
らに昇降カム５が摺動すると、昇降ボス５３がクランク部４６の傾斜部４６３から下端部
４６２に到達し、さらに摺動した状態で駆動モータ６を停止し、昇降カム５の摺動を停止
する。
【００５６】
昇降カム５の昇降ボス５３はドライブシャーシ４のクランク部４６の下端部４６２と係
合しており、下端部４６２が第１ボス５３１及び第２ボス５３２で挟まれているので、ド
ライブシャーシ４は最もトレイ２に近づいた位置で停止している。このとき、ドライブシ
ャーシ４に回動可能に取り付けられたディスク回動装置８は、トレイ２に載置されていた
光ディスクＯｄを持ち上げ、クランプ８１と光ディスクＯｄ挟んで挟持する。
【００５７】
光ディスクＯｄをディスク回動装置８とクランプ８１で挟持することで、光ディスクＯ
ｄをトレイ２に接触することなく回動させることができる。回動している光ディスクＯｄ
に光ヘッド３よりレーザ光を照射することで、光ディスクＯｄに記録された情報を読出し
たり、光ディスクに情報を記録したりすることができる。
【００５８】
トレイ２がケース１から排出されるときは上記と逆の手順で行われる。すなわち、駆動
モータ６をトレイ２を収納したときと反対方向に回動させる。駆動モータ２を反対方向に
回動させることで駆動モータ２に接続している歯車機構７の歯車７１、７２、７３は収納
したときと反対方向に回動する。このとき、昇降カム５の支持部５１の端部５１０に形成
されたラック５１１は歯車７３と歯合しており、歯車７３から遠ざかる方向に摺動する。
【００５９】
昇降カム５が摺動するときに昇降ボス５３の第１ボス５３１がクランク部４６の傾斜部
４６３の上面を押し、ドライブシャーシ４はトレイ２から遠ざかる方向に回動する。ドラ
イブシャーシ４がトレイ２から遠ざかる方向に回動することで、ディスク回動装置８及び
クランプ８１は離れ、光ディスクＯｄがトレイ２に載置される。このとき、昇降カム５の
摺動ボス５４はトレイ２のガイド２４のトレイ摺動方向と直交する方向に形成された直交
部２４３と係合し移動するのでトレイ２はケース１に対して相対的に停止している。
【００６０】
昇降カム５がさらに摺動すると、昇降カム５の昇降ボス５３はクランク部４６の上端部
４６１と係合し、昇降カム５の摺動ボス５４がガイド２４の斜行部２４２に到達する。摺
動ボス５４が斜行部２４２と係合した状態で摺動すると摺動ボス５４がガイド２４の斜行
部２４２をトレイ２の排出方向に押す。これによって、トレイ２が排出方向に押される。
このとき、昇降カム５の支持部５１に形成されているラック５１１が歯車７３と離れると
ともに、トレイ２に形成されているラック２１が歯車７３と歯合する。歯車７３の回転で
トレイ２が排出される。昇降カム５の摺動ボス５４がガイド２４の斜行部２４２に押され
て歯車７３から遠ざかる位置に摺動し、トレイ２がさらに排出されると、摺動ボス５４は
ガイド２４の直線部２４１と係合し摺動を停止する。
【００６１】
上記実施例に示す光ディスクローディング装置Ａでは、ドライブシャーシとして図４に
示す形状のドライブシャーシ４を、昇降カムとして図５に示す昇降カム５を採用している
が、これに限定されるものではなく、金属板をプレス加工にて形成し、クランク部を備え
たドライブシャーシ、クランク部と係合し摺動にあわせてクランク部を押す形状を有する
昇降カムを広く採用することができる。
【産業上の利用可能性】
【００６２】
本考案の光ディスクローディング装置は、ＤＶＤ、ＣＤ等の光ディスクを記録媒体とす
る光ディスク装置において適用することができる。
【図面の簡単な説明】
【００６３】
【図１】本考案にかかる光ディスク装置の概略配置図である。
【図２】本考案にかかる光ディスクローディング装置の一例のトレイが排出された状態の平面図である。
【図３】図２に示す光ディスクローディング装置のトレイが収納された状態の平面図である。
【図４】図（Ａ）は本考案にかかる光ディスクローディング装置に用いられるドライブシャーシの平面図であり、図（Ｂ）は図（Ａ）に示すドライブシャーシの正面図である。
【図５】図（Ａ）は本発明にかかる光ディスクローディング装置に用いられる昇降カムの平面図であり、図（Ｂ）は図（Ａ）に示す昇降カムの側面図である。
【図６】図（Ａ）〜図（Ｃ）は図２及び図３に示す光ディスクローディング装置に用いられるドライブシャーシの動作を示す概略側面図である。
【図７】従来の光ディスクローディング装置の一例のトレイが排出された状態の平面図である。
【図８】図７に示す光ディスクローディング装置のトレイが収納された状態の平面図である。
【図９】図９（Ａ）〜（Ｃ）は図７、図８に示すディスクローディング装置の昇降カムの動作とドライブシャーシの動作手順の概略側面図である。
【符号の説明】
【００６４】
１  ケース
１１  クランプ支持部
２  トレイ
２１  ラック
２２  段差
２３  貫通孔
２４  ガイド
２４１  直線部
２４２  斜行部
２４３  直行部
３  光ヘッド
４  ドライブシャーシ
４１  支持部
４２  ディスク回動装置支持部
４３  貫通孔
４４、４５  歯車取付部
４６  クランク部
４６１  上端部
４６２  下端部
４６３  傾斜部
５  昇降カム
５１  支持部
５１１  ラック
５２  係合部
５３  昇降ボス
５３１  第１ボス
５３２  第２ボス
５４  摺動ボス
６  駆動モータ
６１  ウォームギア
７  歯車機構
７１、７２、７３  歯車
８  ディスク回動装置
８１  クランプ
【図１】
0003110933.tif 000003
【図２】
0003110933.tif 000004
【図３】
0003110933.tif 000005
【図４】
0003110933.tif 000006
【図５】
0003110933.tif 000007
【図６】
0003110933.tif 000008
【図７】
0003110933.tif 000009
【図８】
0003110933.tif 000010
【図９】
0003110933.tif 000011